(57)【特許請求の範囲】
【請求項１】
取得した放送番組の番組情報を出力する番組情報供給手段と、
所定の期間の視聴履歴から検出される視聴情報と、上記番組情報供給手段から出力される上記放送番組の番組情報と、に基づいて、上記放送番組の番組情報を構成する項目毎に、上記各項目内の項目要素の各々に対応する視聴回数を算出し、それぞれの当該視聴回数が記憶された上記項目毎の視聴情報テーブルを、視聴番組情報として出力する視聴番組情報抽出手段と、
上記視聴番組情報と、上記番組情報供給手段から出力される放送番組の番組情報と、に基づいて、上記項目毎に、上記視聴情報テーブルの項目要素について統計処理し、上記統計処理に基づいて上記項目要素のそれぞれに上記視聴回数に対応するポイントを付与する統計処理手段と、上記統計処理手段によって付与されたポイントを記憶するポイントテーブルとを有し、上記項目毎に、上記統計処理によりポイントを付与されたそれぞれの項目要素に対し、上記ポイントテーブルに記憶されているポイントに、上記それぞれの項目要素毎に設定された評価係数を乗ずることで重み付けを付与し、上記各項目要素と、上記各項目要素に対応する上記重み付けを付与されたポイントとからなる予約条件設定情報に基づいて、上記所定の期間の後に録画予約情報を設定する予約設定手段と、
上記録画予約情報をリスト化した録画予約番組リストを表示手段に表示するよう制御する表示制御手段と、
上記表示手段に表示された上記録画予約番組リストの内容に基づいて、予約状況が評価されるとともに、当該評価結果に基づいて上記予約設定手段における録画予約情報を変更し、上記各項目のうちで上記評価結果に対応する項目要素に対して設定された評価係数を変更可能な予約状況評価変更手段と、
上記予約状況評価変更手段で変更された録画予約情報に基づいて録画する録画手段と
を備え、
上記予約設定手段は、上記所定の期間の後に設定された録画予約情報を次回に更新設定する際に、上記予約状況評価変更手段によって上記評価係数が変更された場合には当該変更された上記評価係数を用いる放送番組録画装置。
【請求項２】
上記統計処理手段は、上記放送番組の番組情報を構成する項目毎に、上記各項目内の項目要素について偏差値による統計処理を行い、上記偏差値に基づいて上記項目の要素の順位づけを行うこと
を特徴とする請求項１に記載の放送番組録画装置。
【請求項３】
上記番組情報供給手段は、放送局から送信される放送波、電話回線、情報が記録された記録媒体のいずれかから上記番組情報を取得すること
を特徴とする請求項１または２に記載の放送番組録画装置。
【請求項４】
上記録画予約手段は、上記予約設定手段が設定した録画予約に基づいて自動的に録画予約すること
を特徴とする請求項１から３のいずれか１項に記載の放送番組録画装置。
【発明の詳細な説明】
【０００１】
【発明の属する技術分野】
この発明は放送番組の自動録画装置に関するものである。
【０００２】
【従来の技術】
放送番組の自動録画装置の従来例として、例えば特開平７−１２１９３５号公報に示された装置がある。
【０００３】
図１０は特開平７−１２１９３５号公報に示された従来の放送番組自動録画装置の全体構成を示した機能ブロック図であり、放送番組のうち希望する番組を自動的に録画予約する自動録画装置の一例である。図１０において、番組条件指定手段４は、点線矢印で示す操作者からの選択に従って番組の条件を指定し、番組条件記憶手段３に格納する。抽出手段２は、番組情報供給手段１から定期的に、番組条件記憶手段３に記憶されている条件に該当する番組の番組放送情報を抽出し、予約手段５に出力する。予約手段５は、記録可能な番組の番組放送情報を記録し、番組放送開始時刻に、受信記録手段６に対して番組の記録を指示する。受信記録手段６は、予約手段５からの指示に従って番組を受信し記録する。
【０００４】
図１１は上記従来の自動録画装置の全体構成図である。図１１において、１３は番組予約を管理するＣＤ−Ｉプレーヤであり、番組条件指定部８、番組条件記憶部９、抽出部１０、予約部１１から構成されている。番組条件指定部８は、マウス１２等のポインティングデバイス入力から録画予約を希望する番組の条件を選択指定する。番組条件記憶部９は番組条件指定部８で指定された条件を記憶する。抽出部１０はＣＤ−Ｉフォーマットのコンパクトディスク７（以下、ＣＤ−Ｉディスク７と略称する）から、番組条件記憶部９に記憶されている条件に該当する番組の番組放送情報を定期的に読み出す。予約部１１は、抽出部１０によって抽出された番組放送情報を記録し、その放送情報に基づいてＶＴＲ１４をＤ２Ｂバス１５を使用して制御する。
【０００５】
以上のように構成された従来の自動録画装置について、以下、その動作を説明する。まず、ＣＤ−Ｉプレーヤ１３の第１の動作は、録画予約を希望する番組の条件の指定である。番組条件指定部８は図１２に示すような番組条件のリストを表示する。操作者はマウスやタッチパネル等を使用して、図１２における番組条件の中から予約を希望する「番組の種別」１６や、「出演者名」１９や、「放送時刻」２０を、「ＡＮＤ」１７や、「ＯＲ」１８の式を使用して予め限定指定しておく。ここで限定指定された番組の条件は、図１３に示すように録画予約条件として番組条件記憶部９に記憶される。
【０００６】
次に、ＣＤ−Ｉプレーヤ１３の第２の動作は、番組放送情報の抽出である。図１４は抽出部１０の動作手順を示す図である。対応表２１は放送月日２２と、番組種別２３と、その月日の各番組種別の番組放送情報が記録されているＣＤ−Ｉディスクアドレス２４との対応を示す表であり、ＣＤ−Ｉディスク装着時に予めＣＤ−Ｉディスクから読み込まれている。アドレス決定手段２６は、毎日午前０時に１回、現在月日および時刻を管理する時刻管理手段２５から現在月日を、また番組条件記憶部９から録画予約を行うべき番組の種別を得、対応表２１から現在月日において該当する番組の種別の番組情報が記録されたＣＤ−Ｉディスクアドレスと長さを決定する。読み出し手段２７は、アドレス決定手段２６が決定したＣＤ−Ｉディスクアドレスから再生を開始し、その長さ分の番組放送情報を読み出す。
【０００７】
ここで読み出される番組放送情報３０は、図１５に示すように放送月日２２、番組種別２３、番組名３１、放送開始時刻３２、放送終了時刻３３、放送チャネル番号３４、出演者３５から構成され、各々ＣＤ−Ｉディスク上のＣＤ−Ｉディスクアドレス２４に記録されている。限定手段２８は番組条件記憶部９から録画予約条件を得、読み出し手段２７によって読み出された番組放送情報の中から録画予約条件に合致する番組放送情報のみを記憶メモリ２９に格納する。一例を挙げると、番組条件記憶部９に記憶されている録画条件が図１３に示す内容であり、現在月日が９月３日であった場合に、番組放送情報３０の中から記憶メモリ２９に格納されるものは、番組種別が「映画」でかつ出演者が「ハリソンフォード」である条件を満たした番組名「パトリオットゲーム」の番組放送情報と、番組種別が「動物」でかつ放送時刻が「１８．００から２１．００」である条件を満たした番組名「ムツゴロウの動物王国」の番組放送情報の２つである。
【０００８】
次に、ＣＤ−Ｉプレーヤ１３の第３の動作は番組の予約である。図１６は予約部１１の機能ブロック図である。番組予約表３６は、予約時刻と、その時刻に予約された番組のチャネル番号と番組時間を記録するための表であり、調査手段４１によって調査された接続ＶＴＲ１４の個数分存在する。検出手段３７は記憶メモリ２９から取り出した番組放送情報と番組予約表３６を比較し、重複が起きる場合は重複通知手段３８でメッセージ表示や音声出力等によって操作者に通知し、重複が起きない場合は記録手段３９によって予約表３６にチャネル番号を記録する。設定手段４０は、時刻管理手段２５の現在月日、時刻と予約表３６から、予約された月日、時刻に、予約されたチャネル番号の放送番組をＶＴＲ１４において開始させる。
【０００９】
【発明が解決しようとする課題】
上記のように従来の自動録画装置では、録画するために録画予約条件として番組種別、あるいは出演者等を操作者が入力する必要があり、さらに操作者が予約したい番組条件が変わってきた場合は、その都度操作者が録画予約条件を変更するという操作が必要であり、手間がかかる。
【００１０】
この発明は、上記従来のような問題点を解決しようとするもので、録画予約条件等の入力および変更の操作を行うことなく、視聴したい番組を自動録画できる装置を提供することを目的とする。
【００１１】
【課題を解決するための手段】
この発明に係る放送番組録画装置は、取得した放送番組の番組情報を出力する番組情報供給手段と、所定の期間の視聴履歴から検出される視聴情報と、上記番組情報供給手段から出力される上記放送番組の番組情報と、に基づいて、上記放送番組の番組情報を構成する項目毎に、上記各項目内の項目要素の各々に対応する視聴回数を算出し、それぞれの当該視聴回数が記憶された上記項目毎の視聴情報テーブルを、視聴番組情報として出力する視聴番組情報抽出手段と、上記視聴番組情報と、上記番組情報供給手段から出力される放送番組の番組情報と、に基づいて、上記項目毎に、上記視聴情報テーブルの項目要素について統計処理し、上記統計処理に基づいて上記項目要素のそれぞれに上記視聴回数に対応するポイントを付与する統計処理手段と、上記統計処理手段によって付与されたポイントを記憶するポイントテーブルとを有し、上記項目毎に、上記統計処理によりポイントを付与されたそれぞれの項目要素に対し、上記ポイントテーブルに記憶されているポイントに、上記それぞれの項目要素毎に設定された評価係数を乗ずることで重み付けを付与し、上記各項目要素と、上記各項目要素に対応する上記重み付けを付与されたポイントとからなる予約条件設定情報に基づいて、上記所定の期間の後に録画予約情報を設定する予約設定手段と、上記録画予約情報をリスト化した録画予約番組リストを表示手段に表示するよう制御する表示制御手段と、上記表示手段に表示された上記録画予約番組リストの内容に基づいて、予約状況が評価されるとともに、当該評価結果に基づいて上記予約設定手段における録画予約情報を変更し、上記各項目のうちで上記評価結果に対応する項目要素に対して設定された評価係数を変更可能な予約状況評価変更手段と、上記予約状況評価変更手段によって変更された録画予約情報に基づいて録画する録画手段とを備え、上記予約設定手段は、上記所定の期間の後に設定された録画予約情報を次回に更新設定する際に、上記予約状況評価変更手段によって上記評価係数が変更された場合には当該変更された上記評価係数を用いることとしたものである。
【００２４】
【発明の実施の形態】
実施の形態１．
以下、この発明の実施の形態を図面に基づいて具体的に説明する。図１は、この発明の実施の形態１である自動録画装置を示す機能ブロック図である。図１において、５１は番組の情報を供給する番組情報供給手段、５２は視聴者の視聴履歴から視聴情報を検出する視聴情報検出手段、５３は番組情報供給手段５１より供給された番組情報と、視聴情報検出手段５２により検出された視聴情報に基づいて、視聴された番組情報を抽出する視聴番組情報抽出手段、５４は番組情報供給手段５１、および視聴番組情報抽出手段５３に基づき、番組の録画予約を設定する予約設定手段、５５は予約設定手段５４の設定に従って番組を受信し記録する受信記録手段である。
【００２５】
図２はこの発明の実施の形態１である自動録画装置の番組情報供給手段５１により供給される番組情報の一例について示した図である。供給される番組情報は、例えば番組情報供給リスト５６に示した情報を含んでおり、番組を放送する年月日５７、番組の種類を示す種別５８、番組名５９、番組の開始時刻６０、終了時刻６１、番組を放送するチャンネル６２、番組の出演者６３により構成されている。
【００２６】
図３はこの発明の実施の形態１である自動録画装置の視聴情報検出手段５２の動作を説明するための視聴情報検出結果リスト６４である。視聴情報検出結果リスト６４は視聴者の視聴履歴を示すリストであり、視聴者が視聴した年月日６５、視聴を開始した時刻６６、視聴を終了した時刻６７、視聴したチャンネル６８により構成されている。
【００２７】
図４はこの発明の実施の形態１である自動録画装置の視聴番組情報抽出手段５３の動作を説明するための視聴番組情報抽出リスト６９である。視聴番組情報抽出リスト６９は、例えば図４のように、種別で視聴回数を抽出するリスト７０、番組名で視聴回数を抽出するリスト７１、番組開始時刻で視聴回数を抽出するリスト７２、視聴したチャンネルで視聴回数を抽出するリスト７３、出演者で視聴回数を抽出するリスト７４により構成されている。各リストでは、予め設定された期間、例えば１カ月間という視聴番組情報抽出期間を設定し、その間に上記種別、番組名等の条件に該当する視聴回数をカウントし、記憶する。
【００２８】
図５はこの発明の実施の形態１である自動録画装置の予約設定手段５４の動作を説明する予約条件設定リスト７５である。予約条件設定リスト７５は、図４の視聴番組情報抽出リスト６９で抽出された条件別視聴回数７６、および条件別視聴回数７６に基づき計算された条件別の視聴偏差値・ｈ７７と、予約条件を設定する際の優先度を決めるために、種別７０、番組名７１、開始時刻７２、チャンネル７３、出演者７４という条件に対して重みづけを行う値ｗを掛け合わせた値である予約条件値・ｈ×ｗ７８により構成されている。種別の重みづけを行う値ｗを０．８とすると、予約条件値・ｈ×ｗはリスト内に示すような値となる。
【００２９】
図６はこの発明の実施の形態１である自動録画装置の予約設定手段５４において番組の録画予約を実行するための予約設定リスト７９である。予約設定リスト７９は上記図５のように生成された予約条件設定リスト７５を、さらに、種別７０、番組名７１、開始時刻７２、チャンネル７３、出演者７４というすべての条件について予約条件値７８の値を求め、求めた予約条件値７８の総合的な集計を行い、集計した予約条件値が予め定めた値以上になる番組を録画予約番組としてリストアップするものである。予約設定リスト７９は録画予約を行う年月日８０、録画予約開始時刻８１、録画予約終了時刻８２、録画予約チャンネル８３から構成されている。また、予約設定手段５４では、番組情報供給手段５１より供給される番組情報に基づき、予約条件値が予め定めた値以上である場合でも、ある時刻に複数の番組の録画予約が設定される場合は、予約条件値の高いほうを優先して録画予約することにより、重複することを回避する。
【００３０】
次に図１乃至図６を用いてこの発明の実施の形態１の自動録画装置の動作を詳細に説明する。図１において、まず、視聴情報検出手段５２で、視聴者の視聴履歴の検出を行い、その検出結果を図３の視聴情報検出結果リスト６４に示すように、視聴者の視聴年月日６５、視聴開始時刻６６、視聴終了時刻６７、視聴チャンネル６８の各項目について記憶する。
【００３１】
視聴履歴を検出する方法としては、例えば、図１に示した自動録画装置の受信記録手段５５において受信している時間とそのときのチャンネルを上記視聴情報検出結果リスト６４として記憶することにより、視聴履歴を簡易的に検出することができる。また、別の方法としては、自動録画装置内に視聴者がいることを検知するセンサーを設けることにより、番組を受信しており、かつ、視聴者がいる日時と、そのときのチャンネルを上記視聴情報検出結果リスト６４として記憶すれば、上記の簡易的な検出方法よりも精度の高い検出が可能となる。また、視聴者を検出するセンサーは、例えば、テレビカメラのような撮像手段と、その撮像入力信号から人物がいることをパターン認識する信号処理手段により構成することもできるし、赤外線センサーのような物体の温度を検知する温度検知手段により、人間の体温を検知することによっても検出可能であり、上記の方法を併用することにより、さらに精度の高い視聴者検出センサーを構成することもできる。
【００３２】
次に、視聴番組情報抽出手段５３では、番組情報供給手段５１により供給される図２に示す番組情報供給リスト５６、および視聴情報検出手段５２により検出される視聴情報検出結果リスト６４を照合し、視聴者が視聴していた番組は番組情報供給手段５１により供給された番組のどれにあたるかを判断する。そして、次に視聴者が視聴していた番組の視聴条件抽出を行い、図４に示す視聴条件抽出リスト６９を生成する。視聴条件抽出リスト６９は、種別、番組名、番組開始時刻、視聴チャンネル、出演者という条件別に、予め設定された期間、例えば１カ月間という視聴検出期間を設定し、それぞれの視聴条件に該当する視聴が何回行われたかという条件別視聴回数をカウントし、記憶する。
【００３３】
次に、予約設定手段５４では、視聴番組情報抽出手段５３において生成された図４に示す視聴番組情報抽出リスト６９について、それぞれ抽出された図５に示す予約条件設定リスト７５の条件別視聴回数７６について、統計的な処理を行い、録画予約すべき番組を決定する。以下その動作についいて具体的に説明する。
【００３４】
まず、条件別視聴回数７６について、視聴の偏差値・ｈ７７を求める。例えば図５において、１位のニュースの偏差値が大きな値で２位以下の偏差値との差が大きい場合は、強く意識して選択的にニュースを視聴していることがわかる。このようにどの番組を意識的に選択して視聴しているかを知るために偏差値を利用することは有効な手段である。図５には、種別７０についてのみ示したが、同様にして、番組名７１、開始時刻７２、チャンネル７３、出演者７４という条件に対しても偏差値を求める。
【００３５】
次に、予約条件を設定する際の優先度を決めるための重みづけを行う値ｗを掛け合わせた値である予約条件値・ｈ×ｗ７８を求める。ただし、０≦ｗ≦１とする。図５では、ニュース、ドラマ、映画、音楽、アニメ、バラエティ、教育等の項目を含む種別７０という条件についての予約条件設定リスト７５を例として図示したが、予約条件値・ｈ×ｗ７８についても同様に番組名７１、開始時刻７２、チャンネル７３、出演者７４等の条件について値を求め、予約条件設定リストを生成する。これは、それぞれの項目をどれだけ重要視し、録画予約に反映するかの加減を決定するための操作である。例えば、出演者７４については、非常に大切な条件であるため、そのまま録画予約の設定条件に反映したい場合は、例えば、ｗ＝０．９５という大きな値を設定し、開始時刻７２については、あまり考慮する必要がない場合には、例えば、ｗ＝０．１というような小さな値に設定しておくこととなる。
【００３６】
さらに、予約設定手段５４では、上記のように求められたすべての予約条件値・ｈ×ｗ７８を種別７０、番組名７１、開始時刻７２、チャンネル７３、出演者７４という異なる条件にわたって総合的に集計を行い、集計した総合予約条件値が予め定めた値以上になる番組を録画予約番組としてリストアップするものである。リストアップにより図６に示すような、年月日８０、開始時刻８１、終了時刻８２、チャンネル８３から構成される予約設定リスト７９を生成する。予約設定リスト７９を生成する際、番組情報供給手段５１より供給される番組情報に基づき、総合予約条件値が予め定められた値以上である場合でも、複数の番組が同一時刻に録画予約されるような場合には、総合予約条件値の高いほうを選択して設定するように予約設定リスト７９を生成する。
【００３７】
ここで述べた、「集計した総合予約条件値が予め定めた値以上になる番組を録画予約番組としてリストアップするものである」における予め設定された値とは、固定値として一意に決定しておいてもよいし、受信記録手段５５において、記録可能な時間を検出して、その時間を超えないように値を設定してもよい。
【００３８】
次に受信記録手段５５では、予約設定手段５４において生成した予約設定リスト７９に基づき、放送番組を受信し、テープやディスク等の記録媒体に記録を行う。
【００３９】
視聴番組情報抽出リスト６９と予約条件設定リスト７５は、予約を行う日からさかのぼって、予め設定された期間、例えば１ヶ月間の視聴状況が反映される。次の日になれば、またその日からさかのぼって１ヶ月間の視聴状況が反映される。つまり、視聴番組情報抽出リスト６９と予約条件設定リスト７５は、毎日更新されることとなる。従ってそれに応じて予約設定リスト７９も毎日更新される。
【００４０】
実施の形態１である自動録画装置の番組情報供給手段５１により供給される番組情報の一例について図２に示したが、この番組情報を取得する手段としては、例えば、放送局から送られてくるデータ放送を受信し、そのデータをデコードして番組情報を抽出する手段、番組情報が提供される局番に電話をかけ、電話回線を通じて送られてくるデータを受信し、そのデータから番組情報を抽出する手段、あるいは、テープやディスクなどの媒体に番組情報が記録されている場合は、その媒体を再生してデータを読み出し、そのデータから番組情報を抽出する手段等が考えられる。ただし、上記に限定するものではない。
【００４１】
なお、この発明の実施の形態１として説明した図３の視聴検出項目は、年月日６５、開始時刻６６、終了時刻６７、チャンネル６８に限るものではなく、例えば曜日等を視聴検出項目に追加してもよい。
【００４２】
また、この発明の実施の形態１として説明した図４の視聴条件抽出項目は、種別７０、番組名７１、開始時刻７２、チャンネル７３、出演者７４に限るものではない。例えば曜日等を視聴条件抽出項目に追加してもよい。
【００４３】
上記、視聴番組情報抽出手段５３の抽出期間は１カ月に限るものではない。
【００４４】
また、この発明の実施の形態１として予約条件値７８を設定するための統計的な処理として偏差値ｈと重みづけｗを用いたが、視聴者が意識的に選択して視聴した番組の情報から予約録画すべき番組が決定できれば、これに限るものではない。
【００４５】
また、この発明の実施の形態１として説明した予約条件値７８を求めるための重みづけｗは固定値として設定してもよいし、視聴者の要望に応じて変更してもよい。
【００４６】
また、この発明の実施の形態１として、予約設定リスト７９において、番組情報供給リスト５６で供給される番組情報を参照して、同一時刻に総合予約条件値以上の番組が複数存在する場合には、総合予約条件値の大きい方の番組を優先して録画予約すると記したが、これに限るものではなく、番組情報供給手段５１において視聴者の要望に応じて、重要番組フラグを立てて、総合予約条件値によらず必ず予約することができるようにしてもよい。
【００４７】
また、上記のような場合のために、受信記録手段５５において複数の受信器と複数の記録装置を備え、複数の録画予約に対応できるようにしてもよい。
【００４８】
実施の形態２．
次に、この発明の実施の形態２を図面に基づいて具体的に説明する。図７は、この発明の実施の形態２である自動録画装置を示す機能ブロック図である。図７において、５１は番組の情報を供給する番組情報供給手段、５２は視聴者の視聴履歴から視聴情報を検出する視聴情報検出手段、５３は番組情報供給手段５１より供給された番組情報と、視聴情報検出手段５２により検出された視聴情報に基づいて、視聴された番組情報を抽出する視聴番組情報抽出手段、５４は番組情報供給手段５１および視聴番組情報抽出手段５３に基づき、番組の録画予約を設定する予約設定手段、９０は予約設定手段５４の予約内容を表示する予約状況表示手段、９１は予約状況表示手段９０の内容に基づいて予約状況を評価し、予約設定手段５４の予約内容を変更する予約状況評価手段、５５は予約設定手段５４の設定に従って番組を受信し記録する受信記録手段である。
【００４９】
図８はこの発明の実施の形態２である自動録画装置の予約設定手段５４の動作を説明する予約条件設定リスト７５である。予約条件設定リスト７５は、図４の視聴番組情報抽出リスト６９で抽出された条件別視聴回数７６、および条件別視聴回数７６に基づき計算された条件別の視聴偏差値・ｈ７７と、視聴偏差値・ｈ７７をどれだけ優先するかを示す評価係数ｕとの積で表される評価値・ｈ×ｕ１１０と、予約条件を設定する際の優先度を決めるために、種別７０、番組名７１、開始時刻７２、チャンネル７３、出演者７４という条件に対して、重みづけを行う値ｗを掛け合わせた値である予約条件値・ｈ×ｕ×ｗ７８により構成されている。評価係数ｕは、例えば種別７０について説明すると、ニュース、ドラマ、映画などそれぞれの項目について違った値をとることができる。例えばニュース１．０、ドラマ０．６、映画０．７とする。また、種別７０だけではなく、番組名７１、開始時刻７２、チャンネル７３、出演者７４についても同様である。評価係数ｕの初期値は１．０とする。評価係数ｕをどのようにして決定するかについては、予約状況設定手段９１の説明の部分で述べる。ここで、評価係数ｕは全て１．０、種別についての重みづけを行う値ｗを０．８とすると、予約条件値・ｈ×ｕ×ｗはリスト内に示すような値となる。
【００５０】
図９は、この発明の実施の形態２である自動録画装置の予約状況表示手段９０および予約状況評価手段９１の動作を説明するための予約状況評価リスト１００である。予約状況表示手段９０において、図６に示した予約設定リストと番組情報供給手段５１とから、予約設定状況すなわち、図９における年月日８０、録画予約開始時刻８１、録画予約終了時刻８２、録画予約チャンネル８３、種別１０１、番組名１０２、出演者１０３を表示する。上記表示に対して視聴者が実際に予約を行うか否かを予約評価１０４に設定すると同時に予約を行わない番組については、その理由が開始時刻によるのか、チャンネルによるのか、種別によるのか、番組名によるのか、出演者によるのかを設定する。
【００５１】
次に図２乃至図９を用いてこの発明の実施の形態２の自動録画装置の動作を詳細に説明する。図７において、まず、視聴情報検出手段５２で、視聴者の視聴履歴の検出を行い、その検出結果を図３の視聴情報検出結果リスト６４に示すように、視聴者の視聴年月日６５、視聴開始時刻６６、視聴終了時刻６７、視聴チャンネル６８の各項目について記憶する。
【００５２】
視聴履歴を検出する方法は実施の形態１で説明したと同様であるので説明を省略する。また、視聴番組情報抽出手段５３の動作も実施の形態１と同様なので説明を省略する。
【００５３】
次に、予約設定手段５４では、視聴番組情報抽出手段５３において生成された図４に示す視聴番組情報抽出リスト６９について、図８の予約条件設定リストに示すそれぞれ抽出された条件別視聴回数７６について、統計的な処理を行い、録画予約すべき番組を決定する。以下にその動作を具体的に説明する。
【００５４】
まず、条件別視聴回数７６について、視聴の偏差値・ｈ７７を求める。例えば図８において、１位のニュースの偏差値が大きな値で２位以下の偏差値との差が大きい場合は、強く意識して選択的にニュースを視聴していることがわかる。このようにどの番組を意識的に選択して視聴しているかを知るために偏差値を利用することは有効な手段である。図８には、図４の種別７０についてのみ示したが、同様にして、番組名７１、開始時刻７２、チャンネル７３、出演者７４という条件に対しても偏差値を求める。
【００５５】
次に、予約する番組を決定するにあたって視聴の偏差値・ｈ７７をどれだけ優先するかを示す評価係数ｕをかけた値、評価値・ｈ×ｕ１１０を求める。評価係数ｕの初期値は、１．０で、０から１．０の間の値（０≦ｕ≦１）をとる。評価係数ｕは、偏差値ｈの値をそのまま予約に反映したい場合は、１．０のままである。しかしながら、偏差値ｈは大きな値となっているが、今後予約する場合は、もう少し優先順位を落としたい場合は、ｕの値を例えば０．８とする。例えば、図８においてドラマは２番目に偏差値の大きい項目であり、順当にいけば、今後種別がドラマである番組は、他の種別より優先して予約されることとなる。
【００５６】
しかしながら、視聴者が、予約されている番組から判断して、今後もう少しドラマの予約本数を減らしたいと思うならば、評価係数ｕを１．０から０．８に小さくし、評価値・ｈ×ｕ１１０により予約の優先度を決定するとができる。実際、評価係数ｕをどのように変更するかについては、後の予約状況評価手段９１の説明において述べる。また、この評価係数ｕは、例えば種別７０について説明すると、ニュース、ドラマ、映画などそれぞれの項目について違った値をとることができる。例えばニュース１．０、ドラマ０．６、映画０．７などである。また、種別７０だけではなく、番組名７１、開始時刻７２、チャンネル７３、出演者７４についても同様である。
【００５７】
次に、予約条件を設定する際の優先度を決めるための重みづけを行う値ｗを掛け合わせた値である予約条件値・ｈ×ｕ×ｗ７８を求める。ただし、０≦ｗ≦１とする。重みづけを行う値ｗは、評価係数ｕとは違い、予約条件を決定するにあたって、開始時刻、チャンネル、種別、番組名、出演者のうちどのカテゴリに重きを置くかを決定するためのパラメータである。図８では、ニュース、ドラマ、映画、音楽、アニメ、バラエティ、教育等の項目を含む種別７０というカテゴリについての予約条件設定リスト７５を図８に例として図示したが、予約条件値・ｈ×ｕ×ｗ７８について同様に番組名７１、開始時刻７２、チャンネル７３、出演者７４等のカテゴリについても値を求め、予約条件設定リストを生成する。これは、それぞれのカテゴリをどれだけ重要視し、録画予約に反映するかの加減を決定するための操作である。例えば、出演者７４については非常に大切な条件であるため、そのまま録画予約の設定条件に反映したい場合は、例えば、ｗ＝０．９５という大きな値を設定し、開始時刻７２についてはあまり考慮する必要がない場合には、例えば、ｗ＝０．１というような小さな値に設定しておくこととなる。
【００５８】
さらに、予約設定手段５４では、上記のように求められたすべての予約条件値・ｈ×ｕ×ｗ７８を種別７０、番組名７１、開始時刻７２、チャンネル７３、出演者７４という異なるカテゴリに亘って総合的に集計を行い、集計した総合予約条件値が予め定めた値以上になる番組を録画予約番組としてリストアップするものである。リストアップにより図６に示すような、年月日８０、開始時刻８１、終了時刻８２、チャンネル８３から構成される予約設定リスト７９を生成する。予約設定リスト７９を生成する際、番組情報供給手段５１より供給される番組情報に基づき、総合予約条件値が予め定められた値以上である場合でも、複数の番組が同一時刻に録画予約されるような場合には総合予約条件値の高いほうを選択して設定するように予約設定リスト７９を生成する。
【００５９】
次に、予約状況表示手段９０において、図６に示した予約設定リストと番組情報供給手段５１とから、予約設定状況すなわち、図９における年月日８０、録画予約開始時刻８１、録画予約終了時刻８２、録画予約チャンネル８３、種別１０１、番組名１０２、出演者１０３を表示する。そして、予約状況評価手段９１において、上記表示に対して視聴者が実際に予約を行うか否かを予約評価１０４に設定する。例えば、図９に示したように、３つの番組が予約番組として表示されているが、視聴者がサザエさんについては予約の必要なしと判断したとすると、予約評価１０４に示したように設定される。
【００６０】
このとき、サザエさんを予約しない理由は、開始時刻によるのか、チャンネルによるのか、種別によるのか、番組名によるのか、出演者によるのかを視聴者が選択して設定する。例えば、視聴者は種別であるアニメの予約本数を減らしたいことが理由である場合は、種別のアニメを選択する。そうすることにより、サザエさんの予約が取り消されるとともに、図８においてアニメの評価係数ｕが現在設定されている値よりもより小さい値に変更される。このことにより、アニメの予約条件値・ｈ×ｕ×ｗ７８は、小さな値となり、予約される本数を減らすことができる。上述したように予約状況評価手段９１において、視聴者が、予約設定された番組中、予約を実行しない番組を選択するとともに、その理由となるカテゴリについても選択することにより、評価係数ｕが変更され、次回の予約設定に反映される。
【００６１】
次に受信記録手段５５では、予約設定手段５４において生成した予約設定リスト７９に基づき、放送番組を受信し、テープやディスク等の記録媒体に記録を行う。
【００６２】
なお、この発明の実施の形態２として予約条件値７８を設定するための統計的な処理として偏差値ｈ、評価係数ｕ、重みづけｗを用いたが、視聴者が意識的に選択して視聴した番組の情報から予約録画すべき番組が決定できれば、これに限るものではない。
【００６３】
また、この発明の実施の形態２として説明した予約状況設定手段９１において、予約を実行しないものを選択すると同時に、その理由となるカテゴリを選択することにより、その項目に対応する評価係数ｕを小さい値に変更する方式について説明したが、これに限るわけではなく、逆に予約を実行する番組を選択すると同時に、その理由となるカテゴリを選択することにより、その項目に対応する評価係数ｕを大きい値に変更してもよいし、上記両方とも採用する方式としてもよい。
【００６４】
その他、実施の形態１に関して説明した変形例は、実施の形態２にもそのまま当てはまるものである。
【００６５】
【発明の効果】
この発明は、以上説明したように構成されており、予約状況評価手段において、視聴者が、予約設定された番組中、予約を変更する番組を選択するとともに、その変更の理由となるカテゴリについても選択することができ、これを次回の予約設定では操作者は録画予約条件等の入力および変更の操作を行うことなく、視聴したい番組を自動録画できるとともに、変更された予約に基づいて録画するので、操作者が録画したい番組を確実に録画できる。
【図面の簡単な説明】
【図１】  この発明の実施の形態１に係る自動録画装置の機能ブロック図である。
【図２】  実施の形態１および実施の形態２の番組情報供給手段により供給される番組情報を説明するための図である。
【図３】  実施の形態１および実施の形態２の視聴情報検出手段により検出される視聴情報を説明するための図である。
【図４】  実施の形態１および実施の形態２の視聴番組情報抽出手段により抽出される視聴番組情報を説明するための図である。
【図５】  実施の形態１の予約設定手段の予約条件設定を説明するための図である。
【図６】  実施の形態１および実施の形態２の予約設定手段の番組の録画予約を実行する予約設定を説明するための図である。
【図７】  この発明の実施の形態２に係る自動録画装置の機能ブロック図である。
【図８】  実施の形態２の予約設定手段の予約条件設定を説明するための図である。
【図９】  実施の形態２の予約状況表示手段および予約状況表示手段の表示および評価方法を説明するための図である。
【図１０】  従来の自動録画装置を示す機能ブロック図である。
【図１１】  従来の自動録画装置の全体構成図である。
【図１２】  従来の自動録画装置の録画番組条件を示す図である。
【図１３】  従来の自動録画装置の録画予約条件を示す図である。
【図１４】  従来の自動録画装置の番組放送情報抽出部の動作手順を示す図である。
【図１５】  従来の自動録画装置の番組放送情報を示す図である。
【図１６】  従来の自動録画装置の番組予約部の機能ブロック図である。
【符号の説明】
５１  番組情報供給手段、          ５２  視聴情報検出手段、
５３  視聴番組情報抽出手段、      ５４  予約設定手段、
５５  受信記録手段、              ５６  番組情報供給リスト、
６４  視聴情報検出結果リスト、    ６９  視聴番組情報抽出リスト、
７５  予約条件設定リスト、        ７９  予約設定リスト、
９０  予約状況表示手段、          ９１  予約状況評価手段。
【図１】
0004064590.tif 000002
【図２】
0004064590.tif 000003
【図３】
0004064590.tif 000004
【図４】
0004064590.tif 000005
【図５】
0004064590.tif 000006
【図６】
0004064590.tif 000007
【図７】
0004064590.tif 000008
【図８】
0004064590.tif 000009
【図９】
0004064590.tif 000010
【図１０】
0004064590.tif 000011
【図１１】
0004064590.tif 000012
【図１２】
0004064590.tif 000013
【図１３】
0004064590.tif 000014
【図１４】
0004064590.tif 000015
【図１５】
0004064590.tif 000016
【図１６】
0004064590.tif 000017